(57)【特許請求の範囲】
【請求項１】
施設の入口近傍に設置される座席管理端末と、前記施設内の各テーブルに設置される卓上端末と、前記座席管理端末及び前記卓上端末と通信可能である顧客が所持する携帯端末と、を備える座席利用適正化システムであって、
前記座席管理端末は、近距離無線通信機能を備え、
前記携帯端末は、近距離無線通信によって前記座席管理端末から前記施設の座席利用状況を取得して表示し、入力された利用人数を自身の携帯端末のＩＤ情報とともに前記座席管理端末に送信し、
前記座席管理端末は、受信した利用人数と前記ＩＤ情報とに基づいて利用可能な座席を仮確保して前記携帯端末に仮確保情報を送信するとともに、前記ＩＤ情報を仮確保された座席に対応付けて記憶し、
前記卓上端末は、識別マーク読取り機能を備え、顧客が商品を購入した際に発行されたレシート上の識別マークを読み取るとともに、前記携帯端末から前記仮確保情報を受信すると、識別マーク情報と前記仮確保情報とを前記座席管理端末に送信し、
前記座席管理端末は、前記識別マーク情報と前記仮確保情報とを受信し、前記識別マーク情報が正当であると判断すると、仮確保状態の座席を確保状態とする、座席利用適正化システム。
【請求項２】
前記卓上端末は、表示機能を備え、座席の利用制限時間を記憶しており、座席が確保されると、当該座席の利用時間を計測し始め、計測した利用時間を利用制限時間と共に表示する、請求項１に記載の座席利用適正化システム。
【請求項３】
前記卓上端末は、座席の利用時間が所定時間を経過すると、利用制限時間に近いことを報知する、請求項２に記載の座席利用適正化システム。
【請求項４】
前記卓上端末は、表示ランプを備え、座席の利用時間に応じて、前記表示ランプの色を変化させる、請求項３に記載の座席利用適正化システム。
【発明の詳細な説明】
【技術分野】
【０００１】
本発明は、座席利用適正化システムに関する。
【背景技術】
【０００２】
顧客がフードコートやコーヒーショップを利用する際、商品を購入したが席が空いておらず座れないことがある。顧客は席が空くのを待っている状況でも、次にどの席が空くかはわからず、後から来た別の顧客に席を奪われてしまう場合もある。店舗によっては、顧客が商品を購入する前に座席を確保するように言われる場合もあるが、席を確保するための荷物として、貴重品しか持っていない場合もあり、席を確保出来ないこともある。またフードコート等では商品を購入せず、ただ席だけを利用している顧客のために、適切な利用目的の顧客が利用出来ない場合もあり、店舗にとっても不利益となる。
【０００３】
より効率的な空席管理を行うべく、特許文献１には、複数の設備端末と、制御装置と、を備え、設備端末が、所定の終了操作に応じて、自身の設備識別情報を含む終了通知を制御装置に送信する空き設備管理システムが開示されている。
【先行技術文献】
【特許文献】
【０００４】
【特許文献１】特開２０１７−０３７３８４号公報
【発明の概要】
【発明が解決しようとする課題】
【０００５】
しかし、こうした空き設備管理システムでも、効率的な座席管理を行うのには不十分であり、さらなる効率化が必要であると考えられる。
【０００６】
本発明は、このような問題点を解決するためになされたものであり、より効率的な座席管理を行うことができる座席利用適正化システムを提供することを目的とする。
【課題を解決するための手段】
【０００７】
本発明の一態様にかかる座席利用適正化システムは、施設の入口近傍に設置される座席管理端末と、前記施設内の各テーブルに設置される卓上端末と、前記座席管理端末及び前記卓上端末と通信可能である顧客が所持する携帯端末と、を備える座席利用適正化システムであって、
前記座席管理端末は、近距離無線通信機能を備え、
前記携帯端末は、近距離無線通信によって前記座席管理端末から前記施設の座席利用状況を取得して表示し、入力された利用人数を自身の携帯端末のＩＤ情報とともに前記座席管理端末に送信し、
前記座席管理端末は、受信した利用人数と前記ＩＤ情報とに基づいて利用可能な座席を仮確保して前記携帯端末に該仮確保情報を送信するとともに、前記ＩＤ情報を仮確保された座席に対応付けて記憶し、
前記卓上端末は、識別マーク読取り機能を備え、顧客が商品を購入した際に発行されたレシート上の識別マークを読み取るとともに、前記携帯端末から前記仮確保情報を受信すると、前記識別マーク情報と前記仮確保情報とを前記前記座席管理端末に送信し、
前記座席管理端末は、前記識別マーク情報と前記仮確保情報とを受信し、前記識別マーク情報が正当であると判断すると、仮確保状態の座席を確保状態とする。
【発明の効果】
【０００８】
本発明によれば、より効率的な座席管理を行うことができる座席利用適正化システムを提供することができる。
【図面の簡単な説明】
【０００９】
【図１】実施の形態１にかかる座席利用適正化システムの概念を説明する概略図である。
【図２】実施の形態２にかかる座席利用適正化システムの概略構成を示す図である。
【図３】実施の形態２にかかる座席管理端末の構成を示すブロック図である。
【図４】実施の形態２にかかる卓上端末の構成を示すブロック図である。
【図５】実施の形態２にかかる座席利用適正化システムの動作フローを説明するフローチャートである。
【図６】フードコート入口に設置された座席管理端末に、ユーザが携帯端末をかざす様子を説明する図である。
【図７】ユーザが利用人数を入力する際の携帯端末の画面の遷移を説明する図である。
【図８】携帯端末の画面上で座席が仮確保される様子を説明する図である。
【図９】フードコートの店舗で発行されるレシートの一例を説明する図である。
【図１０】卓上端末を設置したテーブルを示す図である。
【図１１】携帯端末の画面上で座席が仮確保される様子を説明する図である。
【発明を実施するための形態】
【００１０】
実施の形態１
図１は、実施の形態１にかかる座席利用適正化システムの概念を説明する概略図である。
本開示は、フードコートなどの施設において座席の利用を適正化するための座席利用適正化システムに関する。座席利用適正化システムは、施設の入口近傍に設置される座席管理端末１０と、施設内の各テーブルに設置される卓上端末４０と、座席管理端末及び卓上端末と通信可能である顧客２が所持する携帯端末（例えば、スマートフォン）２０と、を備える。
【００１１】
座席管理端末１０は、近距離無線通信機能を備える。携帯端末２０は、近距離無線通信によって座席管理端末１０から施設の座席利用状況を取得して表示し、入力された利用人数を自端末のＩＤ情報とともに座席管理端末１０に送信する（ステップＳ１）。座席管理端末１０は、受信した利用人数とＩＤ情報とに基づいて利用可能な座席を仮確保して携帯端末２０に該仮確保情報を送信するとともに、前記ＩＤ情報を仮確保された座席に対応付けて記憶する（ステップＳ２）。卓上端末４０は、識別マーク読取り機能を備える。顧客は、施設内の店舗で商品を購入する（ステップＳ３）。卓上端末４０は、顧客が商品を購入した際に発行されたレシート３０上の識別マーク３４を読み取るとともに、携帯端末２０から仮確保情報を受信すると、識別マーク情報と仮確保情報とを座席管理端末１０に送信する。座席管理端末１０は、識別マーク情報と前記仮確保情報とを受信し、識別マーク情報が正当であると判断すると、仮確保状態の座席を確保状態とする（ステップＳ４）。顧客は、座席を利用後、例えば、使用済の食器類を返却し、座席確保状態を終了することができる（ステップＳ５）。
【００１２】
このように、本実施形態によれば、より効率的な座席管理を行うことができる座席利用適正化システムを提供することができる。
【００１３】
実施の形態２
以下、図面を参照して本発明の実施の形態２について説明する。
図２を参照して、本発明の実施の形態２にかかる座席利用適正化システムの概要を説明する。
座席利用適正化システム１は、施設の一例であるフードコートの入口近傍に設置される座席管理端末１０と、フードコートの各テーブル４１に設置される卓上端末４０と、座席管理端末１０及び卓上端末４０と通信可能であるユーザ（顧客）２が所有する携帯端末（例えば、スマートフォン）２０とを備える。
【００１４】
図３は、座席管理端末１０の構成を示すブロック図である。座席管理端末１０は、制御部１００、通信部１１０、２つの近距離無線通信部１４（１４ａ，１４ｂ）、を備える。制御部１００は、例えばＣＰＵ（Central Processing Unit）により構成され、座席管理端末１０の構成部位の各々を制御する。座席管理端末１０は、機能的には、座席管理機能と、近距離無線通信機能と、通信機能とを有する。これらの各機能は、制御部１００が記憶部１０１に記憶されたプログラムを実行することにより実現される。
【００１５】
図４は、卓上端末４０の構成を示すブロック図である。卓上端末４０は、制御部４００、通信部４１０、読み取り部４１１、表示部４１２，報知部４１３、および近距離無線通信部４２０を備える。制御部４００は、例えばＣＰＵにより構成され、卓上端末４０の構成部位の各々を制御する。卓上端末４０は、機能的には、識別マーク読取り機能と、通信機能と、表示機能と、報知機能と、を有する。表示部４１２は、例えば、液晶ディスプレイ（ＬＣＤ）を備える。これらの各機能は、制御部４００が記憶部４０１に記憶されたプログラムを実行することにより実現される。
【００１６】
卓上端末４０は、座席の利用制限時間（例えば：１２０分）を記憶しており、座席が確保されると、座席の利用時間を計測し始め、表示部４１２において、計測した利用時間を利用制限時間と共に表示する。また、卓上端末４０は、座席の利用時間が所定時間（例えば：１１０分）を経過すると、利用制限時間に近いことを報知する。さらに、卓上端末は、報知部４１３を備える。報知部４１３は、例えば、表示ランプであり、座席の利用時間に応じて、表示ランプの色を変化させる（例えば、利用時間が短いときは、青、利用時間が長くなるにつれて、黄、赤の順に色を変化させる）。なお、利用制限時間は予め設定されているが、これを上限として顧客が設定できるようにしてもよい。
【００１７】
座席管理端末１０は、近距離無線通信部１４により携帯端末２０等と近距離無線通信する近距離無線通信機能と、通信部１１０により卓上端末４０と通信する通信機能とを備える。座席管理端末１０は、施設内の座席を管理する。なお、座席管理端末１０と卓上端末４０との間の通信は、無線通信であってもよいし、有線通信であってもよい。施設は、一例として、フードコートについて説明するが、これに限定されない。施設は、例えば、レストラン、カフェ、打合せスペース、又は商談スペース等であってもよい。座席管理端末１０は、近距離無線通信用の構成要素として、Ｂｌｕｅｔｏｏｔｈ（登録商標）、Ｂｌｕｅｔｏｏｔｈ（登録商標） ＬＥ規格、又はＮＦＣなどを使用する近距離無線通信部１４を備える。なお、座席管理端末１０は、フードコートの入口近傍に設置されているが、近距離無線通信部１４が入口近傍に設置されていればよい。座席管理端末１０の近距離無線通信部１４を除く部分は、入口近傍に設置されていなくてもよい。また、座席管理端末１０は、近距離無線通信機能に替えて、無線ＬＡＮ通信機能を備え、携帯端末２０と無線通信するものであってもよい。
【００１８】
ユーザ（顧客）がフードコート入り口近傍に配置される座席管理端末１０に携帯端末２０をかざすと、携帯端末２０は、近距離無線通信によって座席管理端末１０からフードコートの座席利用状況を取得して表示する。ユーザは、携帯端末２０に表示された画面上で利用人数（ここでは、３名）を入力すると、該利用人数と携帯端末のＩＤ情報が座席管理端末１０に送信される。
【００１９】
座席管理端末１０は、受信した利用人数と携帯端末のＩＤ情報に基づいて、利用可能な座席を仮確保して携帯端末２０に該仮確保情報を送信して仮確保された座席に対応付けて記憶する。
【００２０】
卓上端末４０は、識別マーク読取り機能（例えば、スキャナーである読み取り部４１１）を備え、顧客が商品を購入した際に発行されたレシート上の識別マーク（例えば、バーコード又はＱＲコード（登録商標）など）を読み取る。識別マークは、レシートを発行した店舗の識別コードとレシート発行日時の情報を含むことができる。さらに、卓上端末４０は、携帯端末２０から近距離無線通信によって仮確保情報を受信すると、識別マーク情報と仮確保情報を座席管理端末１０に送信する。卓上端末４０は、近距離無線通信機能に替えて、無線ＬＡＮ通信機能を備え、携帯端末２０と無線通信するものであってもよい。座席管理端末１０は、識別マーク情報と仮確保情報とを受信し、識別マーク情報の店舗の識別コードとレシート発行日時の正当性について判断する。座席管理端末１０は、店舗の識別コードが、記憶している施設内の店舗の識別コードリストに存在し、レシート発行日時が所定の時間内（例えば座席の仮確保の時刻の前後３０分以内）であれば、正当であると判断し、仮確保状態の座席を確保状態とする。また、座席管理端末１０は、確保状態とした座席の情報を、識別マーク情報と仮確保情報とを送信してきた卓上端末４０に送信する。識別マークが、レシートを発行した店舗の識別コードとレシートの識別コードとを含み、座席管理端末１０が施設内の店舗のＰＯＳ（Point Of Sales）端末に、レシートの正当性を問い合わせるものであってもよい。なお、ここでいうレシートは、紙で発行されるレシートに限定されず、携帯端末２０に表示される電子レシートであってもよい。
【００２１】
これにより、より効率的な座席管理を行うことができる座席利用適正化システムを提供することができる。
【００２２】
図５を参照して、実施の形態２にかかる座席利用適正化システムの動作フローを説明する。図６はフードコート入り口に設置された座席管理端末の近距離無線通信部１４に、ユーザが携帯端末をかざす様子を説明する図である。
【００２３】
図６に示すように、フードコートを利用する顧客であるユーザ２は、フードコートの出入口１３に設置された座席管理端末１０の近距離無線通信部１４に、自身の携帯端末（例えば、スマートフォン）２０をかざす（ステップＳ１０１）。なお、図５では、フードコートの一箇所に入り口と出口が同一であるように示しているが、出口と入口は別々の場所に設けてもよい。
【００２４】
ユーザ２は、携帯端末２０を介して、座席管理端末１０からフードコートの座席利用状況を取得すると、携帯端末２０には、座席利用状況が表示される（ステップＳ１０２）。
【００２５】
図７に示すように、携帯端末２０に案内が表示され、それにしたがって、ユーザ２は携帯端末の入力部（例えば、タッチパネルなど）を介して利用人数を入力することができる（ステップＳ１０３）。図７の左図は、携帯端末２０の画面に表示される利用人数の入力画面の一例である。また、図７の右図のように、携帯端末２０には、フードコートの座席の利用状況を示す画面を選択して表示することができる。
【００２６】
ユーザは利用人数（ここでは、８名）を入力すると、携帯端末２０は、利用人数と携帯端末２０のＩＤ情報を座席管理端末１０に送信する（ステップＳ１０４）。
【００２７】
座席管理端末１０は、入力された利用人数に対して、座席利用状況をもとに利用できる席を仮確保し、仮確保情報を携帯端末２０に送信する（ステップＳ１０５）。図８に示すように、携帯端末２０の画面上では、仮確保された座席の色が変更される（本例では、例えば、白から黄に変更される）。８名分の２つのテーブルが仮確保状態となっている。なお、各座席の利用状況は、異なる色で認識可能に表示されており、本例では、座席確保中は赤、自身による仮確保中は黄、他者による仮確保中は青、空席は白に設定されている。
【００２８】
座席管理端末１０は、予約情報とＩＤ情報を受信し、ステップＳ１０５で仮確保された座席（テーブル）に対応付けて記憶する（ステップＳ１０６）。本例では、座席管理端末１０は、仮確保されている２つのテーブルに対応付けて記憶する。
【００２９】
図１０に示すように、ユーザ２は、座席の仮確保前に、もしくは仮確保後に、フードコートの店舗３１（店舗３１ａ〜３１ｈのいずれか１つ以上の店舗）で購入した商品のレシート３０を仮確保された座席の卓上端末４０の読み取り部４１１（例えば、スキャナー）にかざすと、読み取り部４１１は、レシート３０の識別マーク３４（図９参照）を読み取り、携帯端末２０から仮確保情報を受信する（ステップＳ１０７）。本例では、仮確保されている２つのテーブルのいずれかの卓上端末４０の読み取り部４１１にかざせばよい。なお、このレシート３０は、紙で発行されたものであってもよいし、携帯端末２０に電子化されて表示されるものであってもよい。このように、各店舗は、注文した商品を購入した顧客に対して、レシートを発行するレシート発行端末（ＰＯＳ端末）を有する。電子レシートの場合は、レシート発行端末は、この電子レシートを、顧客の所持する携帯端末２０に送信することができる。
【００３０】
なお、仮確保から所定時間（例えば、３０分）経ってもユーザ２が仮確保した座席に来ない場合、すなわち、座席管理端末１０が、卓上端末４０から識別マーク情報および仮確保情報が受信できない場合、座席管理端末１０は、仮確保状態を無効にしてもよい。
【００３１】
卓上端末４０は、識別マーク情報と仮確保情報を座席管理端末１０に送信する（ステップＳ１０８）。座席管理端末１０は、識別マーク情報と仮確保情報とを受信し、識別マーク情報に含まれる店舗の識別コードとレシート発行日時の正当性について判断する。座席管理端末１０は、店舗の識別コードが、記憶している施設内の店舗の識別コードリストに存在し、レシート発行日時が所定の時間内（例えば座席の仮確保の時刻の前後３０分以内）であれば、正当であると判断し、仮確保状態の座席を確保状態とする。また、座席管理端末１０は、確保状態とした座席の情報を、識別マーク情報と仮確保情報とを送信してきた卓上端末４０に送信する。以上のように、仮確保された座席にユーザ２が来たことが確認されると、図１１に示すように、仮確保された座席の色は、黄から赤に変わり、ユーザ２がテーブルを利用するために、座席が確保される。
【００３２】
卓上端末４０は、座席が確保された後、座席の利用時間を計測し、計測された利用時間と制限時間（例えば、１２０分）を表示部４１２に表示する（ステップＳ１０９）。なお、制限時間は、任意に設定することができる。
【００３３】
卓上端末４０は利用時間が所定時間（例えば、１１０分）を経過すると、ユーザに対して、制限時間が近いことを報知する（ステップＳ１１０）。報知を開始するための所定時間は、任意に設定することができる。本例では、仮確保されている２つのテーブルのいずれか一方、又は両方の卓上端末４０で報知することができる。さらに、卓上端末４０は、利用時間が制限時間に達した場合は、ユーザに利用時間の終了を報知してもよい。その後、卓上端末４０は、座席管理端末１０に確保された座席を解除するように指示することができる。なお、ユーザが利用時間を十分に残して利用を終了する場合、座席の卓上端末４０に携帯端末２０をかざすと、座席管理端末１０は、卓上端末４０から、当該携帯端末２０のＩＤ情報を受信し、座席確保を解除することもできる。
【００３４】
なお、卓上端末４０は、ＬＣＤ（Liquid Crystal Display）やＬＥＤ（light emitting diode）などの表示手段を備え、空席状態（未利用状態）と仮確保状態と、確保状態（利用状態）とを識別可能に表示してもよい。
【００３５】
以上説明した実施の形態１では、フードコートの入り口に座席管理端末１０を設置し、ユーザが座席管理端末１０にスマートフォンをかざし利用人数を入力することで座席の利用状況をもとに座席が選択され仮確保することができる。仮確保した席は、ユーザのスマートフォン上に位置が表示される。本システムでは、フードコート利用目的以外にて座席を利用できないように、ユーザがフードコートにて購入した際のレシートと、スマートフォンをテーブルに設置された卓上端末にかざすことで席が利用できる状態となる。座席管理端末にスマートフォンをかざしたタイミングで満席だった場合は、順番待ちをするかキャンセルするかの表示がユーザの所持するスマートフォン上にされ、順番待ちする場合は順次、座席が空いたタイミングで該当する利用者に席の位置情報を送信し利用できるようにする。ユーザが座席利用開始後は、テーブルに設置された卓上端末の表示部に制限時間と計測された利用時間が表示されるので、長時間の利用を制限することができる。利用後は、再度スマートフォンをかざすことで座席確保状態が解除される。
【００３６】
以上説明した実施の形態２にかかる座席利用適正化システムによれば、座席管理端末によって座席利用状況を管理することで利用者自身が空いている座席を探す手間を減らすことができる。スマートフォンを座席管理端末にかざした順番にシステム上に登録され、利用者に対し仮確保の通知がされるため、通知が来た利用者しか該当の座席は使用できず他の利用者との座席確保トラブルを回避することができる。混雑時は座席が仮確保されたタイミングでスマートフォンへ通知が来るため、座席を確保した状態で商品を購入しに行くことができ、料理は注文したが席が空くまでの待ち時間が長くて料理が冷めてしまったり、伸びてしまったりするような状況を防ぐことができる。フードコートを利用した際のレシートを利用することで、フードコート本来の目的以外の利用者が座席確保し飲食目的で来ている方が利用できない状況を減らすことができる。
【００３７】
なお、本発明は上記実施の形態に限られたものではなく、趣旨を逸脱しない範囲で適宜変更することが可能である。
【符号の説明】
【００３８】
１  座席利用適正化システム
２  ユーザ
１０  座席管理端末
１１  壁
１３  出入口
１４  近距離無線通信部
２０  携帯端末
３０  レシート
３１  店
３２  店舗名
３３  日時
３４  識別マーク
４０  卓上端末
４１  テーブル
４２  椅子
１００  制御部
１０１  記憶部
１１０  通信部
４００  制御部
４０１  記憶部
４１０  通信部
４１１  読み取り部
４１２  表示部
４１３  報知部
４２０  近距離無線通信部
【図１】
0006933404.tif 000002
【図２】
0006933404.tif 000003
【図３】
0006933404.tif 000004
【図４】
0006933404.tif 000005
【図５】
0006933404.tif 000006
【図６】
0006933404.tif 000007
【図７】
0006933404.tif 000008
【図８】
0006933404.tif 000009
【図９】
0006933404.tif 000010
【図１０】
0006933404.tif 000011
【図１１】
0006933404.tif 000012